(57)【要約】【課題】輸液の注入及び排出性を向上させることができる輸液容器を提供する。【解決手段】輸液が収容される筒状の容器本体２と、この容器本体２に形成された互いに対向する第１、第２の口部３、４とを備えた輸液容器１である。容器本体２を、断面偏平形状の胴部５と、この胴部５から第１の口部３へ渡って形成された第１肩部６と、胴部５から第２の口部４へ渡って形成された第２肩部７とを有するものとし、当該胴部５を、互いに対向する２つの湾曲部１１と、互いに平行に対向する２つの側壁部１２とで構成し、各湾曲部１１の頂部間寸法Ｄ１と各側壁部１２間寸法Ｄ２とが１．４＜Ｄ１／Ｄ２＜２．０の関係式を満たすように構成する。【選択図】図１
2014188193.tif 000002
【特許請求の範囲】
【請求項１】
輸液が収容される筒状の容器本体と、この容器本体に形成された互いに対向する一対の口部とを備えた輸液容器であって、
前記容器本体は、断面偏平形状の胴部と、この胴部から一方の口部へ渡って形成された第１肩部と、当該胴部から他方の口部へ渡って形成された第２肩部とを有しており、
前記断面偏平形状の胴部は、互いに対向する２つの湾曲部と、互いに平行に対向する２つの側壁部とで構成され、当該各湾曲部の頂部間寸法Ｄ１と当該各側壁部間寸法Ｄ２とが以下の関係式を満たすことを特徴とする輸液容器。
１．４＜Ｄ１／Ｄ２＜２．０
【請求項２】
前記第１肩部における前記各湾曲部へ連続する第１角部分が、外方へ膨らむＲ状に形成され、この第１角部分の曲率半径が、６mm〜２０mmとされていることを特徴とする請求項１に記載の輸液容器。
【請求項３】
前記第２肩部における前記各湾曲部へ連続する第２角部分が、外方へ膨らむＲ状に形成され、この第２角部分の曲率半径が、６mm〜２０mmとされていることを特徴とする請求項１又は２に記載の輸液容器。
【請求項４】
前記第１肩部における前記各湾曲部へ連続する第１角部分、及び前記第２肩部における前記各湾曲部へ連続する第２角部分が、平面状又はこれに近い形状に形成されていることを特徴とする請求項１に記載の輸液容器。
【請求項５】
前記第１肩部における前記各側壁部へ連続する第１肩壁、及び前記第２肩部における前記各側壁部へ連続する第２肩壁が、平面状又はこれに近い形状に形成されていることを特徴とする請求項１〜４のいずれかに記載の輸液容器。
【発明の詳細な説明】
【技術分野】
【０００１】
本発明は、輸液を収容するために用いられる樹脂製の輸液容器に関する。
【背景技術】
【０００２】
従来、輸液を収容するための樹脂製容器として、輸液が収容される筒状の容器本体と、この容器本体に形成された互いに対向する注入口及び取出口とを備え、当該容器本体が、断面偏平形状の胴部と、この胴部から注入口へ渡って形成された第１肩部と、当該胴部から取出口へ渡って形成された第２肩部とを有している輸液容器が知られている（例えば、特許文献１参照）。
【先行技術文献】
【特許文献】
【０００３】
【特許文献１】特許第４０４８３３７号公報
【発明の概要】
【発明が解決しようとする課題】
【０００４】
樹脂で形成された輸液容器の容器本体は可撓性を有しており、注入口に輸液を注入する前後や、取出口から輸液を排出するときに、容器本体の内部は加圧又は減圧状態となる。その際、容器本体は輸液の注入又は排出に追随するように変形することで、輸液の注入や排出が良好に行われる。特許文献１に記載された輸液容器では、正面壁と背面壁は比較的に変形し易いが、両側壁部や上下の角部分の近傍は変形し難く、容器本体を輸液の注入又は排出に良好に追随させることは困難である。そのため、輸液の注入及び排出の際の作業性が十分でないという問題がある。
【０００５】
そこで本発明は、上記従来技術の問題点に鑑み、輸液の注入及び排出性を向上させることができる輸液容器を提供することを目的とする。
【課題を解決するための手段】
【０００６】
発明者は、輸液の注入及び排出性に関し鋭意検討を行った結果、容器本体の寸法比率を設定することで、注入及び排出の際の作業性を向上させられる輸液容器を得るに至った。
【０００７】
即ち、本発明の輸液容器は、輸液が収容される筒状の容器本体と、この容器本体に形成された互いに対向する一対の口部とを備えた輸液容器であって、前記容器本体は、断面偏平形状の胴部と、この胴部から一方の口部へ渡って形成された第１肩部と、当該胴部から他方の口部へ渡って形成された第２肩部とを有しており、前記断面偏平形状の胴部は、互いに対向する２つの湾曲部と、互いに平行に対向する２つの側壁部とで構成され、当該各湾曲部の頂部間寸法Ｄ１と当該各側壁部間寸法Ｄ２とが以下の関係式を満たすことを特徴とする。
１．４＜Ｄ１／Ｄ２＜２．０
【０００８】
上記本発明の輸液容器によれば、断面偏平形状の胴部が、互いに対向する２つの湾曲部と、互いに平行に対向する２つの側壁部とで構成され、当該各湾曲部の頂部間寸法と当該各側壁部間寸法とが上記の関係式を満たすことにより、容器本体の胴部が格段に変形し易くなり、容器本体の形状変化を輸液の注入又は排出に良好に追随させることができる。
【０００９】
前記第１肩部における前記各湾曲部へ連続する第１角部分が、外方へ膨らむＲ状に形成され、この第１角部分の曲率半径が、６mm〜２０mmとされていることが好ましい。第１肩部における各湾曲部へ連続する第１角部分を上記形状とすることによって、当該第１角部の近傍を変形し易くすることができる。
【００１０】
前記第２肩部における前記各湾曲部へ連続する第２角部分が、外方へ膨らむＲ状に形成され、この第２角部分の曲率半径が、６mm〜２０mmとされていることが好ましい。第２肩部における各湾曲部へ連続する第２角部分を上記形状とすることによって、当該第２角部の近傍を変形し易くすることができる。
【００１１】
前記第１肩部における前記各湾曲部へ連続する第１角部分、及び前記第２肩部における前記各湾曲部へ連続する第２角部分が、平面状又はこれに近い形状に形成されていることが好ましい。第１肩部における各湾曲部へ連続する第１角部分、及び第２肩部における各湾曲部へ連続する第２角部分を上記形状とすることで、当該第１角部分、当該第２角部分、及びこれら両角部分の近傍を変形し易くすることができる。
【００１２】
前記第１肩部における前記各側壁部へ連続する第１肩壁、及び前記第２肩部における前記各側壁部へ連続する第２肩壁が、平面状又はこれに近い形状に形成されていることが好ましい。第１肩部における各側壁部へ連続する第１肩壁、及び第２肩部における各側壁部へ連続する第２肩壁を上記形状とすることで、当該第１肩部、第２肩部、及びこれら両肩部に連続する各側壁部を変形し易くすることができる。
【発明の効果】
【００１３】
上記の通り本発明によれば、胴部における各湾曲部の頂部間寸法と各側壁部間寸法とが所定の関係式を満たすことにより、胴部が格段に変形し易くなり、容器本体の形状変化を輸液の注入又は排出に良好に追随させることができる。
【図面の簡単な説明】
【００１４】
【図１】本発明の第１実施形態に係る輸液容器の正面図である。
【図２】（ａ）は輸液容器の平面図であり、（ｂ）はその側面図である。
【図３】本発明の第２実施形態に係る輸液容器の正面図である。
【図４】（ａ）は輸液容器の平面図であり、（ｂ）はその側面図である。
【発明を実施するための形態】
【００１５】
以下、本発明の実施形態について図面を参照して説明する。図１は本発明の第１実施形態に係るポリプロピレン製の輸液容器１の正面図であり、図２（ａ）は輸液容器１の平面図であり、（ｂ）はその側面図である。以下の説明において、図１の上下に対応する側を単に上下とする。この輸液容器１は、ブドウ糖液、電解質液、生理食塩水等の輸液が収容されるものであり、輸液が収容される筒状の容器本体２と、この容器本体２に形成された互いに対向する第１、第２の口部３、４とを備えている。
【００１６】
容器本体２は、断面偏平形状の胴部５と、この胴部５から第１の口部３へ渡って形成された第１肩部６と、当該胴部５から第２の口部４へ渡って形成された第２肩部７とを有している。第１の口部３には、輸液容器１の上端に位置する上鍔部８と、この上鍔部８の下側に所定間隔を空けて位置する中鍔部９が形成されている。第２の口部４は、第１の口部３よりも小径で形成されており、その下端に形成された底部１０によって閉塞されている。
【００１７】
第１肩部６は、第２肩部７よりも軸方向寸法が大きく、当該第２肩部７は第１肩部６よりも急角度で形成されている。断面偏平形状の胴部５は、互いに対向する２つの湾曲部１１と、互いに平行に対向する２つの側壁部１２とで構成されている。図２（ａ）左右に位置する２つの湾曲部１１は、互いに同形状かつ同寸法で形成されており、図２（ａ）上下に位置する２つの側壁部１２は、互いに同形状かつ同寸法で形成されている。従って、輸液容器１は、軸芯を中心として図１左右に対称的に形成されている。
【００１８】
各湾曲部１１の頂部間寸法Ｄ１と各側壁部１２間寸法Ｄ２とが、１．４＜Ｄ１／Ｄ２＜２．０の関係式を満たしている。各湾曲部１１の頂部間寸法Ｄ１を、各側壁部１２間寸法Ｄ２で除した数値をかかる範囲に設定することで、容器本体２の胴部５を格段に変形し易くすることができる。本実施形態の輸液容器１では、各湾曲部１１の頂部間寸法Ｄ１は６８mmであり、各側壁部１２間寸法Ｄ２は４２mmであり、Ｄ１／Ｄ２は１．６となっている。更に、各湾曲部１１の頂部間寸法Ｄ１と各側壁部１２間寸法Ｄ２とが１．５＜Ｄ１／Ｄ２＜１．７とされているのがより好ましく、胴部５がより変形し易くなる。
【００１９】
第１肩部６における各湾曲部１１へ連続する第１角部分１４が、外方へ膨らむＲ状に形成されている。この第１角部分１４の曲率半径ｒ１は１０mm〜１５mmとされているのが好ましい。第２肩部７における各湾曲部１１へ連続する第２角部分１５が、外方へ膨らむＲ状に形成されている。この第２角部分１５の曲率半径ｒ２は１０mm〜１５mmとされているのが好ましい。
【００２０】
図２（ｂ）に示すように、第１肩部６における各側壁部１２へ連続する各第１肩壁１６、及び第２肩部７における各側壁部１２へ連続する各第２肩壁１７は、外方へ膨らむＲ状に形成されている。
【００２１】
第１角部分１４と第２角部分１５を外方へ膨らむＲ状に形成し、その曲率半径ｒ１、ｒ２をそれぞれ６mm〜２０mmとすることによって、第１角部分１４の近傍と第２角部分１５の近傍を変形し易くすることができる。即ち、従来の角張った角部を有する輸液容器よりも、第１角部分１４の近傍と第２角部分１５の近傍を容易かつ滑らかに変形させることができる。
【００２２】
本実施形態の輸液容器１によれば、断面偏平形状の胴部５が互いに対向する２つの湾曲部１１と、互いに平行に対向する２つの側壁部１２とで構成され、各湾曲部１１の頂部間寸法Ｄ１と各側壁部１２間寸法Ｄ２とが所定の関係式を満たすことにより、容器本体２の胴部５が格段に変形し易くなる。更に、第１角部分１４と第２角部分１５を、外方へ膨らむＲ状に形成し、その曲率半径を所定の数値範囲とすることによって、第１角部分１４の近傍と第２角部分１５の近傍が変形し易くなり、例えば従来の角張った角部を有する輸液容器よりも、小さな力で容易かつ滑らかに変形させることができる。
【００２３】
そして、胴部５を格段に変形させ易く、それと共に第１角部分１４の近傍と第２角部分１５の近傍を、小さい力で変形させることができるため、容器本体２の形状変化を輸液の注入又は排出に良好に追随させることができる。従って、第１の口部３である輸液注入口に輸液を注入する前後や、第２の口部４である輸液取出口から輸液を排出する際、容器本体２を輸液の注入又は排出に追随するように変形させることができ、輸液の注入や排出が良好に行われる。これにより、輸液の注入及び排出の際の作業性を向上させることができる。
【００２４】
図３は本発明の第２実施形態に係るポリプロピレン製の輸液容器２０の正面図であり、図４（ａ）は輸液容器２０の平面図であり、（ｂ）はその側面図である。本実施形態が第１実施形態と異なる点は、第１肩部２１における各側壁部１２へ連続する第１肩壁２２、及び第２肩部２３における各側壁部１２へ連続する第２肩壁２４の形状が異なっている点である。なお、以下に説明する部位以外の形状などは第１実施形態と共通する。
【００２５】
第１実施形態では、第１肩部における各側壁部へ連続する第１肩壁は外方へ湾曲しているが、本実施形態では、図４（ｂ）に示すように第１肩部２１における各側壁部１２へ連続する第１肩壁２２が平面状に形成されている。同様に、第２肩部２３における各側壁部１２へ連続する第２肩壁２４が平面状に形成されている。第１肩部２１における各側壁部１２へ連続する第１肩壁２２、及び第２肩部２３における各側壁部１２へ連続する第２肩壁２４を平面状とすることで、第１肩部２１、第２肩部２３、及びこれら両肩部２１、２３に連続する各側壁部１２を変形し易くすることができる。
【００２６】
第２実施形態では、第１肩部２１における各側壁部１２へ連続する第１肩壁２２、及び第２肩部２３における各側壁部１２へ連続する第２肩壁２４を平面状としているが、これらの形状は外方又は内方へ若干反るような平面状に近い形状としてもよい。この場合であっても、第１肩部、第２肩部、及びこれら両肩部に連続する各側壁部を変形し易くすることができる。
【００２７】
以上により、第１肩部２１、第２肩部２３、及びこれら両肩部２１、２３に連続する各側壁部１２を小さい力で容易かつ滑らかに変形させることができるため、容器本体の形状変化を輸液の注入又は排出に良好に追随させることができる。従って、第１の口部３である輸液注入口に輸液を注入する前後や、第２の口部４である輸液取出口から輸液を排出する際、容器本体２が輸液の注入又は排出に追随するように変形することができ、輸液の注入や排出が良好に行われる。これにより、輸液の注入及び排出の際の作業性を向上させることができる。
【００２８】
各実施形態の輸液容器は、本発明を例示したものであり、各部位の寸法や口部の形状などは適宜変更することができる。本発明の輸液容器は、どのような成形方法で製造してもよい。成形に使用される樹脂は、ポリプロピレンの他、ポリエチレン、ポリエステル、ナイロン、塩化ビニル、塩素化ポリエチレン、エチレン−酢酸ビニル共重合体等の可撓性を有する公知のものを採用することができる。輸液容器の形状は、各実施形態に限定するものではなく、例えば、第１肩部における各湾曲部へ連続する第１角部分、及び第２肩部における各湾曲部へ連続する第２角部分を、平面状又はこれに近い形状に形成してもよい。この場合、第１角部分、第２角部分、及びこれら両角部分の近傍を変形し易くすることができる。
【符号の説明】
【００２９】
１、２０  輸液容器
２  容器本体
３  第１の口部
４  第２の口部
５  胴部
６、２１  第１肩部
７、２３  第２肩部
１１  湾曲部
１２  側壁部
１４  第１角部分
１５  第２角部分
１６、２２  第１肩壁
１７、２４  第２肩壁
Ｄ１  各湾曲部の頂部間寸法
Ｄ２  各側壁部間寸法
【図１】
2014188193.tif 000003
【図２】
2014188193.tif 000004
【図３】
2014188193.tif 000005
【図４】
2014188193.tif 000006